(57)【要約】【課題】取出口にフィルムを設けなくとも、ティシューペーパーの保持性および取出性のよいティシューペーパー収納箱を提供することである。【解決手段】取出口は、収納箱の長手方向および短手方向の中心部に位置する第１取出口部分と、該長手方向において該第１取出口部分の両側にそれぞれ連結された第２取出口部分とから構成され、第１取出口部分は、収納箱の長手方向中心線および短手方向中心線のそれぞれに対して傾斜する方向に延び、第２取出口部分のうち、該第２取出口部分側に頂部を有する羽部とは長手方向中心線を挟んで反対側に位置する部分は、長手方向における取出口の全長のほぼ端に至るまで延在している。【選択図】図３
2008137686.tif 000002
【特許請求の範囲】
【請求項１】
交互に折り畳まれて積層された家庭用薄葉紙が内部に収納され、上面の蓋部が破断用切目線に沿って切り取り可能に構成され、該蓋部を切り取って形成される取出口を通して内部の家庭用薄葉紙を取り出すことができるように構成された略直方体状で上面長方形の家庭用薄葉紙収納箱において、
前記取出口は、前記家庭用薄葉紙収納箱の上面中央に位置し、前記取出口の全長は、前記家庭用薄葉紙収納箱の長手方向で大きく、かつ、その短手方向で小さくなるように設定され、前記取出口の形状は、前記家庭用薄葉紙収納箱の上面の長手方向中心線および短手方向中心線のそれぞれに対して非線対称で、かつ、前記家庭用薄葉紙収納箱の上面の中心に対して点対称となっており、前記取出口の縁は、使用状態で、全周に亘って連続してループ状をなし、前記短手方向における前記取出口の両側には、前記蓋部を切り取った状態で、前記長手方向の異なる位置に頂部を持つ羽部が１つずつ形成され、前記取出口は、前記長手方向および前記短手方向の中心部に位置する第１取出口部分と該長手方向において該第１取出口部分の両側にそれぞれ連結された第２取出口部分とから構成され、前記第１取出口部分は、前記長手方向中心線および前記短手方向中心線のそれぞれに対して傾斜する方向に延び、前記第２取出口部分のうち、該第２取出口部分側に頂部を有する前記羽部とは前記長手方向中心線を挟んで反対側に位置する部分は、前記長手方向における前記取出口の全長のほぼ端に至るまで延在していることを特徴とする家庭用薄葉紙収納箱。
【請求項２】
前記した２つの羽部は、その共通接線が前記長手方向中心線にほぼ合致するような形状とされていることを特徴とする請求項１に記載の家庭用薄葉紙収納箱。
【請求項３】
前記した２つの羽部は、その頂部を挟む両側の自由端縁の傾斜が互いに異なるような形状とされていることを特徴とする請求項１又は２に記載の家庭用薄葉紙収納箱。
【請求項４】
前記羽部の付け根側には、該羽部の起立を容易にするための折目用線が形成されていることを特徴とする請求項１から３いずれか一項に記載の家庭用薄葉紙収納箱。
【発明の詳細な説明】
【技術分野】
【０００１】
本発明は、ティシューペーパー等の家庭用薄葉紙を収納する家庭用薄葉紙収納箱に関する。
【背景技術】
【０００２】
家庭用薄葉紙の１つであるティシューペーパーを収納するティシューペーパー収納箱（以下、収納箱という。）の市販品は紙から構成されている。この収納箱の上面にはティシューペーパーを取り出すための取出口が設けられているのが一般的である。この取出口は、収納箱がユーザの手元に渡るまでは、蓋部によって覆われている。そして、ユーザがその蓋部を破断用切目線に沿って切り取ることによって取出口が形成される。
【０００３】
ところで、このような収納箱におけるティシューペーパーの取出構造として、大別して、２種の構造が知られている。１つは、取出口の縁に下側からポリエチレン等の透明な樹脂フィルムが予め貼られ、この樹脂フィルムの中央に形成されたスリットからティシューペーパーを取り出す構造である。他の１つは、上記樹脂フィルムがなく蓋部を破断用切目線で切り取って形成された取出口からティシューペーパーを取り出す構造、いわゆるフィルムレス構造である（例えば、特許文献１）。
このうち、前者の取出構造によれば、取出口の縁に樹脂フィルムを予め貼るので、手間とコストが嵩むことに加え、ティシューペーパーを使い切った後に、ゴミの分別処理のためにユーザが樹脂フィルムと箱本体（紙）とを分別しなければならないという問題がある。一方、後者の取出構造によればこのような問題は生じない。
【特許文献１】特開２００４−２０８７６５号公報
【発明の開示】
【発明が解決しようとする課題】
【０００４】
しかし、後者のフィルムレス構造の収納箱にあっては、新たな問題が生じる。
すなわち、フィルムレス構造の収納箱にあっては、取出口の幅（取出口の延在方向に直交する寸法）が小さかったり、取出口が波状でうねり数が多いと、ティシューペーパーを取り出す際に取出口の硬い縁にティシューペーパーが強く擦れることとなり、取出抵抗が大きくなり、ティシューペーパーが破れたりして取出性が悪いだけでなく、たとえ破れなくても擦れによる紙粉の発生につながって不都合を生じる。また、取出口が波状でうねり数が多いと、取り出されるティシューペーパーの形状が大きく変化するので、次のティシューペーパーの追従性が悪くなる。
一方、ティシューペーパーの取出性を向上させるために取出口の面積を増大させるとすれば、ティシューペーパーの取出性は向上するが、今度はティシューペーパーの保持性が悪くなってしまいティシューペーパーの収納箱内への落ち込みが生じやすくなるととともに、取出口から埃等が入りやすくなる。
【０００５】
本発明は、かかる問題点に鑑みなされたもので、ティシューペーパーの取出性および保持性の双方を満足させる家庭用薄葉紙収納箱を提供することを目的としている。
【課題を解決するための手段】
【０００６】
請求項１記載の家庭用薄葉紙収納箱は、交互に折り畳まれて積層された家庭用薄葉紙が内部に収納され、上面の蓋部が破断用切目線に沿って切り取り可能に構成され、該蓋部を切り取って形成される取出口を通して内部の家庭用薄葉紙を取り出すことができるように構成された略直方体状で上面長方形の家庭用薄葉紙収納箱において、前記取出口は、前記家庭用薄葉紙収納箱の上面中央に位置し、前記取出口の全長は、前記家庭用薄葉紙収納箱の長手方向で大きく、かつ、その短手方向で小さくなるように設定され、前記取出口の形状は、前記家庭用薄葉紙収納箱の上面の長手方向中心線および短手方向中心線のそれぞれに対して非線対称で、かつ、前記家庭用薄葉紙収納箱の上面の中心に対して点対称となっており、前記取出口の縁は、使用状態で、全周に亘って連続してループ状をなし、前記短手方向における前記取出口の両側には、前記蓋部を切り取った状態で、前記長手方向の異なる位置に頂部を持つ羽部が１つずつ形成され、前記取出口は、前記長手方向および前記短手方向の中心部に位置する第１取出口部分と該長手方向において該第１取出口部分の両側にそれぞれ連結された第２取出口部分とから構成され、前記第１取出口部分は、前記長手方向中心線および前記短手方向中心線のそれぞれに対して傾斜する方向に延び、前記第２取出口部分のうち、該第２取出口部分側に頂部を有する前記羽部とは前記長手方向中心線を挟んで反対側に位置する部分は、前記長手方向における前記取出口の全長のほぼ端に至るまで延在していることを特徴とする。ここで、「家庭用薄葉紙収納箱の長手方向中心線」とは家庭用薄葉紙収納箱の長手方向に延びる中心線を意味し、「家庭用薄葉紙収納箱の短手方向中心線」とは、家庭用薄葉紙収納箱の短手方向に延びる中心線を意味する。また、「取出口の全長」とは取出口の最大長さをいう。
【０００７】
請求項２記載の家庭用薄葉紙収納箱は、請求項１記載の家庭用薄葉紙収納箱において、前記した２つの羽部は、その共通接線が前記長手方向中心線にほぼ合致するような形状とされていることを特徴とする。
【０００８】
請求項３記載の家庭用薄葉紙収納箱は、請求項１又は２に記載の家庭用薄葉紙収納箱において、前記した２つの羽部は、その頂部を挟む両側の自由端縁の傾斜が互いに異なるような形状とされていることを特徴とする。
【０００９】
請求項４記載の家庭用薄葉紙収納箱は、請求項１から３いずれか一項に記載の家庭用薄葉紙収納箱において、前記羽部の付け根側には、該羽部の起立を容易にするための折目用線が形成されていることを特徴とする。
【発明の効果】
【００１０】
本発明によれば、家庭用薄葉紙収納箱の長手方向には互い違いに並んで羽部が設けられているので、例えば、家庭用薄葉紙収納箱の短手方向における羽部の頂部同士の距離を小さくすることができる。したがって、待機する家庭用薄葉紙の保持性が向上する。また、第１取出口部分が家庭用薄葉紙収納箱の上面の長手方向中心線および短手方向中心線のそれぞれに対して傾斜し、第２取出口部分のうち、該第２取出口部分側に頂部を有する羽部とは長手方向中心線を挟んで反対側に位置する部分が、長手方向における取出口の全長のほぼ端に至るまで延在しているので、取出時に家庭用薄葉紙が無理に曲げられることが少なくなる。一方で、家庭用薄葉紙収納箱の長手方向に互い違いに並ぶ羽部が設けられ、取出時の羽部の起きあがりを利用することができる。その結果、取出抵抗が小さくなり、家庭用薄葉紙の取出性が向上する。
【発明を実施するための最良の形態】
【００１１】
［第１実施形態］
図１は、フィルムレス構造のティシューペーパー収納箱（以下、収納箱という。）の構造を示す分解斜視図、図２は、この収納箱の使用前の状態を示す平面図、図３は、この収納箱の使用時の状態を示す平面図である。ここで、「フィルムレス」とは取出口に、スリット付きの樹脂フィルムが存在しないことを意味している。
【００１２】
収納箱１は、例えば、長手方向の長さが１６０〜２５０ｍｍ、短手方向の長さが１００〜１２０ｍｍ、高さが５０〜１２０ｍｍの略直方体状に形成された収納箱であり、この収納箱１内にティシューペーパー２…がポップアップ可能に積層されて収納される。
【００１３】
収納箱１の上面１ａには、ティシューペーパー２…を取り出すための取出口１１が形成されている。この取出口１１は、最初の使用時に、収納箱１の上面１ａに設けられたループ状の破断用切目線３に沿って収納箱１の一部である蓋部１２を切り取ることにより形成される。この場合、破断用切目線３は連続してループ状をなしているため、蓋部１２を破断用切目線に沿って切り取ると、取出口１１の縁も連続してループ状をなすことになる。収納箱１はこの状態で使用される。ここで、「連続してループ状をなす」とは、縁の途中に切り込み、裂け目がなく全体が連続していることを意味している。
また、収納箱１の上面１ａには、一対の羽部１３，１３と、その一対の羽部１３，１３の折目用線１４，１４とが形成されている。
【００１４】
取出口１１は収納箱１の上面中央に位置している。この取出口１１の寸法は、収納箱１の長手方向で短手方向に比べて大きくなるように設定されている。ここで、取出口１１の長手方向長さは、収納箱１の上面の長手方向長さの６０〜９６％であることが好ましい。下限を６０％としたのは、６０％よりも小さくすると、ティシューペーパーの両端が強く擦れて取出性が悪くなるからである。
【００１５】
この取出口１１は、直線状の縁１１−１と、円弧状の縁１１−２と、Ｖ字状の縁１１−３と、直線状の縁１１−４と、円弧状の縁１１−５と、Ｖ字状の縁１１−６とを連結してなるループ状の縁によって区画される。
このうち、直線状の縁１１−１、１１−４は、互いに平行で、収納箱１の上面１ａの長手方向中心線Ｃ１（長手方向に延びる中心線）および短手方向中心線Ｃ２（短手方向に延びる中心線）のそれぞれに対して傾斜し、かつ、一端が長手方向中心線Ｃ１に達するように延在している。また、弧状の縁１１−２、１１−５は、上記直線状の縁１１−１、１１−４に連結され、かつ、収納箱１の上面の長手方向中心線Ｃ１側に向けて張り出すように延在している。また、Ｖ字状の縁１１−３、１１−６は、上記弧状の縁１１−２、１１−５および上記直線状の縁１１−４、１１−１に連結され、かつ、頂部が収納箱１の長手方向外側に向けて張り出すように延在している。
なお、本実施形態におけるＶ字状の縁１１−３，１１−６は、収納箱１の内方又は外方に向けて張り出す円弧状又はＵ字状の縁や、収納箱１の短手方向に対して平行な縁や、収納箱１の長手方向および短手方向のそれぞれに対して傾斜する縁としてもよい。ここで、収納箱１の内方に向けて張り出す円弧状又はＵ字状の縁とした場合には、その縁の付け根側に適宜に折目用線を形成することができる。
また、本実施形態における直線状の縁１１−１，１１−４は、収納箱１の内方又は外方に向けて膨らみ上記円弧状の縁１１−２，１１−５よりも曲率の小さい円弧状の縁としてもよい。
【００１６】
上記取出口１１の形状は、収納箱１の上面１ａの長手方向中心線Ｃ１および短手方向知中心線Ｃ２のそれぞれに対して非線対称で、かつ、収納箱１の上面１ａの中心に対して点対称となっている。
そして、この取出口１１は、収納箱１の上面の長手方向および短手方向の中心部に位置する第１取出口部分１１ａと、該第１取出口部分１１ａの両側にそれぞれ連結された第２取出口部分１１ｂ，１１ｂとに大別される。
このうち、第１取出口部分１１ａは、直線状の縁１１−１、１１−４の平行をなしている部分によって区画された部分である。別言すれば、第１取出口部分１１ａは、収納箱１の上面１ａの長手方向で見ると、取出口１１のうちで２つの羽部１３，１３の頂部の間に挟まれた部分である。この第１取出口部分１１ａは、収納箱１の上面１ａの長手方向中心線Ｃ１および短手方向中心線Ｃ２のそれぞれに対して傾斜する方向に延びている。この第１取出口部分１１ａの長さは、収納箱１の上面の長手方向で見た場合、収納箱１の長さの３０〜８０％であることが好ましい。また、取出口１１の傾斜部分を区画する直線状の縁１１−１、１１−４の最小間隔は３〜１０ｍｍ程度であることが好ましい。
一方、第２取出口部分１１ｂは、収納箱１の上面１ａの長手方向で見ると、第１取出口１１ａの両側に存在する部分である。この第２取出口部分１１ｂは、実施形態の収納箱１では、収納箱１の上面１ａの長手方向で見ると、第１取出口部分１１ａとの連結部から第２の取出口部分１１ｂの端までのほぼ全域に亘って、収納箱１の長手方向中心線Ｃ１と直交する方向の両側に跨って広がっている。
【００１７】
次に、羽部１３，１３について説明すれば、本実施形態では、直線状の縁１１−１および円弧状の縁１１−２が一方の羽部１３の自由端縁を構成し、直線状の縁１１−４および円弧状の縁１１−５が他方の羽部１３の自由端縁を構成している。
また、本実施形態では、直線状の縁１１−１および円弧状の縁１１−２の境界（曲率が変化する点つまり変曲点）の境界と、直線状の縁１１−４および円弧状の縁１１−５の境界（曲率が変化する点つまり変曲点）とが羽部１３、１３の頂部となる。そして、実施形態の収納箱１では、羽部１３，１３の共通接線は収納箱１の上面１ａの長手方向中心線Ｃ１に合致している。
そして、各羽部１３の付け根側には、直線状の折目用線１４が形成されている。この折目用線１４は、押圧部材（図示省略）を型押しして形成した線状のくぼみであり、例えば、０．３ｍｍ程度くぼんでいる。ここでは、直線状の折目用線１４としているが、収納箱１の内方又は外方に向けて張り出すような円弧状の折目用線としてもよい。また、この折目用線１４は羽部１３の付け根全域に延在するものでなくてもよい。
なお、上記羽部１３における付け根部からの突出長さは、ティシューペーパー２…が羽部１３に保持される程度であればよく、５ｍｍ以上あることが望ましい。また、上限は特に限定されず、ティシューペーパー２…の大きさや収納箱１の短手方向の長さおよび取出口１１の大きさにより適宜決めてよい。
【００１８】
蓋部１２は取出口１１と同一の形状を有している。この蓋部１２には、半円状の破断用切目線（図示せず）が形成され、この破断用切目線の内部に指を当てて力を加えると、破断用切目線の内部が収納箱１の内側に折れ曲がり、指を挿入可能な指穴１５が形成されるようになっている。
【００１９】
次に、収納箱１に収納されるティシューペーパー２について説明すれば、ティシューペーパー２は、その折り畳み軸方向の長さが１００〜２４５ｍｍとなっている。
このティシューペーパー２…は、２枚が１組（一単位）とされ、１組１組が継続して箱から取り出せるように交互に折り畳まれており、一方の羽部１３に保持されているティシューペーパー１組を外へ引き出したときに、次のティシューペーパー１組が収納箱１の内部から他方の羽部１３に保持される位置まで引き出される折り方となっている。つまり、ティシューペーパー２…は、一組毎取り出す際、各羽部１３に交互に保持される。
【００２０】
［第２実施形態］
図４は、フィルムレス構造の収納箱の構造を示す分解斜視図、図５は、この収納箱の使用前の状態を示す平面図、図６は、この収納箱の使用時の状態を示す平面図である。
この第２実施形態の収納箱１は次の点で第１実施形態の収納箱と共通している。
第１に、この第２実施形態の収納箱１は大きさおよび外形が第１実施形態の収納箱と共通している。
第２に、この第２実施形態の収納箱１は、収納箱１の内部に収納されるティシューペーパー２の大きさおよび収納構造が第１実施形態の収納箱と共通している。
第３に、この第２実施形態の収納箱１は、取出口１１が蓋部１２を破断用切目線３に沿って切り取って形成される点、取出口１１が収納箱１の中央に位置している点、取出口１１の寸法が収納箱１の長手方向で大きく、かつ、その短手方向で小さくなるように設定されている点、取出口１１の形状が収納箱１の上面１ａの長手方向中心線Ｃ１および短手方向中心線Ｃ２のそれぞれに対して非線対称で、かつ、収納箱１の上面１ａの中心に対して点対称となっている点、取出口１１の縁が使用状態で全周に亘って連続してループ状をなしている点で第１実施形態の収納箱と共通している。
第４に、この第２実施形態の収納箱１は、収納箱１の短手方向における取出口１１の両側に、蓋部１２を切り取った状態で、収納箱１の長手方向の異なる位置に頂部を持つ羽部１３が１つずつ形成されている点、各羽部１３の付け根側に折目用線１４が形成されている点で第１実施形態の収納箱と共通している。
第５に、この第２実施形態の収納箱１は、取出口１１が第１取出口部分１１ａと第２取出口部分１１ｂ，１１ｂとで構成されている点、収納箱１の中心部に位置する第１取出口部分１１ａが収納箱１の長手方向中心線Ｃ１および短手方向中心線Ｃ２のそれぞれに対して傾斜する方向に延びている点、第２取出口部分１１ｂ，１１ｂが、収納箱１の上面１ａの長手方向で見ると、第１取出口部分１１ａとの連結部から第２の取出口部分１１ｂの端までのほぼ全域に亘って、収納箱１の長手方向中心線Ｃ１と直交する方向の両側に跨って広がっている点で第１実施形態の収納箱と共通している。
第６に、この第２実施形態の収納箱１は、蓋部１２に指穴１５が形成可能となっている点で第１実施形態の収納箱と共通している。
なお、この第２実施形態の収納箱１は、適宜に、第１実施形態の収納箱の説明の箇所で示したと同様の変形を加えることが可能である。
【００２１】
次に、この第２の実施形態の収納箱１が第１実施形態の収納箱と異なる点を説明する。  この第２実施形態の収納箱１の取出口１１は、直線状の縁１１−１と、半楕円状の縁１１−２と、円弧状の縁１１−３と、直線状の縁１１−４と、半楕円状の縁１１−５と、円弧状の縁１１−６ととを連結してなるループ状の縁によって区画される。
このうち、直線状の縁１１−１，１１−４は収納箱１の長手方向と平行に延在している。また、半楕円状の縁１１−２，１１−５は直線状の縁１１−１，１１−４の一端に連結され、取出口１１側に向けて張り出している。さらに、円弧状の縁１１−３，１１−６は、１１−２，１１−５と直線状の縁１１−４，１１−１とを連絡するもので、収納箱１の長手方向外側に向けて膨らんでいる。
なお、円弧状の縁１１−３，１１−６は、収納箱１の内方に向けて張り出す円弧状又はＵ字状の縁や、収納箱１の短手方向に対して平行な縁や、収納箱１の長手方向および短手方向のそれぞれに対して傾斜する縁としてもよい。ここで、収納箱１の内方に向けて張り出す円弧状又はＵ字状の縁とした場合には、その縁の付け根側に適宜に折目用線を形成することができる。
【００２２】
［第３実施形態］
図７は、フィルムレス構造の収納箱の構造を示す分解斜視図、図８は、この収納箱の使用前の状態を示す平面図、図９は、この収納箱の使用時の状態を示す平面図である。
この第３実施形態の収納箱は、第２実施形態の羽部１３，１３の頂部に三角状の突起１３ａ，１３ａを形成するとともに、円弧状の縁１１−３，１１−６の中央に取出口１１に向けて突出する三角状の突起１６，１６を形成したものである。この第３実施形態の収納箱１は、その他の点では、第２実施形態の収納箱と同じとなっている。
【００２３】
この第３実施形態の収納箱１によれば、三角状の突起１３ａ，１３ａの頂点を結ぶ共通接線は収納箱１の長手方向中心線Ｃ１および短手方向中心線Ｃ２のそれぞれに対して傾斜することとなる。
【００２４】
［変形例１］
図１０は変形例１を示している。この変形例１は第１実施形態の収納箱の変形例である。変形例１の収納箱１では、羽部１３，１３の頂部が長手方向中心線Ｃ１にまで至らない構成となっているとともに、収納箱１の長手方向における取出口１１の両端部は収納箱１の長手方向外側に向けて張り出す円弧状の縁となっている。この変形例１の収納箱１は、その他の点では、第１実施形態の収納箱と同じとなっている。したがって、この変形例１の収納箱１は、適宜に、第１実施形態の収納箱の説明の箇所で示したと同様の変形を加えることが可能である。
【００２５】
［変形例２］
図１１は変形例２を示している。この変形例２は第２実施形態の収納箱の変形例である。変形例１の収納箱１では、羽部１３，１３の頂部が長手方向中心線Ｃ１を超えて延びる構成となっているとともに、収納箱１の長手方向における取出口１１の両端部は収納箱１の長手方向内側に向けて張り出すＵ字状の縁となっている。この変形例２の収納箱１は、その他の点では、第２実施形態の収納箱と同じとなっている。したがって、この変形例２の収納箱１は、適宜に、第１実施形態の収納箱の説明の箇所で示したと同様の変形を加えることが可能である。
この変形例２によれば、羽部１３，１３の頂部が長手方向中心線Ｃ１を超えて延びるので、ティシューペーパー２の保持性は高まることになる。
【００２６】
［その他の変形］
以上、本発明の実施形態および変形例を説明したが、本発明は、かかる実施形態や変形例に限定されるものではなく、種々の変形が可能である。
例えば、羽部１３，１３の頂部を収納箱１の長手方向中心線Ｃ１に平行となるように直線状に形成することもできる。
【図面の簡単な説明】
【００２７】
【図１】第１実施形態のティシューペーパー収納箱の分解斜視図である。
【図２】図１のティシューペーパー収納箱の使用前の状態を示す平面図である。
【図３】図１のティシューペーパーの使用時の状態を示す平面図である。
【図４】第２実施形態のティシューペーパー収納箱の分解斜視図である。
【図５】図３のティシューペーパー収納箱の使用前の状態を示す平面図である。
【図６】図３のティシューペーパーの使用時の状態を示す平面図である。
【図７】第３実施形態のティシューペーパー収納箱の分解斜視図である。
【図８】図７のティシューペーパー収納箱の使用前の状態を示す平面図である。
【図９】図７のティシューペーパーの使用時の状態を示す平面図である。
【図１０】本発明の変形例１のティシューペーパー収納箱の使用時の状態を示す平面図である。
【図１１】本発明の変形例２のティシューペーパー収納箱の使用時の状態を示す平面図である。
【符号の説明】
【００２８】
１  ティシューペーパー収納箱（家庭用薄葉紙収納箱）
２  ティシューペーパー（家庭用薄葉紙）
３  破断用切目線
１１  取出口
１２  蓋部
１３  羽部
１４  折目用線
１５  指穴
Ｃ１  長手方向中心線
Ｃ２  短手方向中心線
【図１】
2008137686.tif 000003
【図２】
2008137686.tif 000004
【図３】
2008137686.tif 000005
【図４】
2008137686.tif 000006
【図５】
2008137686.tif 000007
【図６】
2008137686.tif 000008
【図７】
2008137686.tif 000009
【図８】
2008137686.tif 000010
【図９】
2008137686.tif 000011
【図１０】
2008137686.tif 000012
【図１１】
2008137686.tif 000013